【手続補正書】
【提出日】平成19年11月22日(2007.11.22)
【手続補正１】
【補正対象書類名】明細書
【補正対象項目名】特許請求の範囲
【補正方法】変更
【補正の内容】
【特許請求の範囲】
【請求項１】  所定の入力モードを用いて文字の入力を受け付けるパームトップコンピュータであって、
ケースと、
前記ケースに取り付けられたデジタイザパッドと、
入力モードの選択に関連づけられた物理的センサとを含むことを特徴とするパームトップコンピュータ。
【請求項２】  第１入力モードと第２入力モードとを用いて文字の入力を受け付けるパームトップコンピュータであって、
ケースと、
前記ケースに取り付けられたデジタイザパッドと、を含み、
前記第１入力モードに関連づけられた第１入力領域と、前記第２入力モードに関連づけられた第２入力領域とを区画する突起が前記デジタイザパッドに形成されていることを特徴とするパームトップコンピュータ。
【請求項３】  所定の入力モードを用いて文字の入力を受け付けるパームトップコンピュータであって、
ケースと、
前記ケースに取り付けられたデジタイザパッドと、
前記デジタイザパッド周囲に形成されたボーダーと、を含み、
前記ボーダーが、入力モードの選択に関連づけられた突起部を有することを特徴とするパームトップコンピュータ。
【請求項４】  文字の入力を受け付けるパームトップコンピュータであって、
ケースと、
前記ケースに取り付けられ、テクスチャ領域部分を含んでなるデジタイザパッドと、を有することを特徴とするパームトップコンピュータ。
【請求項５】  第１入力モードと第２入力モードとを用いて文字の入力を受け付けるパームトップコンピュータであって、
ケースと、
前記ケースに取り付けられ、第１入力モードに関連づけられた第１テクスチャー領域と、第２入力モードに関連づけられた第２テクスチャー領域とを具備してなるデジタイザパッドと、を有することを特徴とするパームトップコンピュータ。
【請求項６】  所定の入力モードで文字の入力を受け付けるパームトップコンピュータであって、
ペンと、
ケースと、
前記ケースに取り付けられたデジタイザパッドと、
入力モードの選択に関連づけられた物理的センサと、
を有することを特徴とするパームトップコンピュータ。
【請求項７】  所定の入力モードを用いて文字の入力を行うパームトップコンピュータであって、
ケースと、
前記ケースに取り付けられたデジタイザパッドと、
入力モードの選択に関連づけられた加速度センサとを備えることを特徴とするパームトップコンピュータ。
【手続補正２】
【補正対象書類名】明細書
【補正対象項目名】００１７
【補正方法】変更
【補正の内容】
【００１７】
ボタン１０６ｂ、１０６ｃ、１０６ｆ及び１０６ｇは、アプリケーションボタンである。一例においては、アプリケーションボタン１０６ｂは、カレンダーアプリケーションのために用いられ、アプリケーションボタン１０６ｃは、住所録アプリケーションに用いられ、アプリケーションボタン１０６ｆは、備忘録リスト（to-do list）アプリケーションのために用いられ、アプリケーションボタン１０６ｇは、ノートパッドアプリケーションのために用いられる。当業者においては、他のアプリケーションがこれらのボタンに関連づけられても構わないことが理解されるであろう。他の例示的な態様においては、ボタン１０６ｂ、１０６ｃ、１０６ｆ及び１０６ｇは、汎用のアプリケーションボタンとして、ユーザにより設定可能となる。これによれば、ユーザにより、種々のアプリケーションが各ボタンに設定される。
【手続補正３】
【補正対象書類名】明細書
【補正対象項目名】００６４
【補正方法】変更
【補正の内容】
【００６４】
ここまでに説明した特定の実施形態は、単に本発明の本質的部分の例示に過ぎず、従って、種々の改変が当業者によって本発明の範囲及び精神を逸脱せずになされるであろうことに留意されたい。すなわち、本発明の範囲は、請求項に記載の範囲のみに限定されるものでもなく、それに同等のものにも及ぶのである。
なお、本発明の第１の態様に係るパームトップコンピュータは、所定の入力モードを用いて文字の入力を受け付けるパームトップコンピュータであって、ケースと、前記ケースに取り付けられたデジタイザパッドと、入力モードの選択に関連づけられた物理的センサとを含むことを特徴とする。
第２の態様に係るパームトップコンピュータは、第１の態様に係るパームトップコンピュータであって、前記物理的センサは、ケースに取り付けられていることを特徴とする。
第３の態様に係るパームトップコンピュータは、第１の態様に係るパームトップコンピュータであって、前記物理的センサは、ボタンであることを特徴とする。
第４の態様に係るパームトップコンピュータは、第１の態様に係るパームトップコンピュータであって、前記物理的センサは、ロッカースイッチであることを特徴とする。
第５の態様に係るパームトップコンピュータは、第１の態様に係るパームトップコンピュータであって、前記物理的センサは、ダイヤルであることを特徴とする。
第６の態様に係るパームトップコンピュータは、第１の態様に係るパームトップコンピュータであって、前記物理的センサは、圧力ストリップであることを特徴とする。
第７の態様に係るパームトップコンピュータは、第１の態様に係るパームトップコンピュータであって、前記物理的センサは、可動バーであることを特徴とする。
第８の態様に係るパームトップコンピュータは、第１の態様に係るパームトップコンピュータであって、前記物理的センサは、加速度センサであることを特徴とする。
第９の態様に係るパームトップコンピュータは、第１入力モードと第２入力モードとを用いて文字の入力を受け付けるパームトップコンピュータであって、ケースと、前記ケースに取り付けられたデジタイザパッドと、を含み、前記第１入力モードに関連づけられた第１入力領域と、前記第２入力モードに関連づけられた第２入力領域とを区画する突起が前記デジタイザパッドに形成されていることを特徴とする。
第１０の態様に係るパームトップコンピュータは、所定の入力モードを用いて文字の入力を受け付けるパームトップコンピュータであって、ケースと、前記ケースに取り付けられたデジタイザパッドと、前記デジタイザパッド周囲に形成されたボーダーと、を含み、前記ボーダーが、入力モードの選択に関連づけられた突起部を有することを特徴とする。
第１１の態様に係るパームトップコンピュータは、第１０の態様に係るパームトップコンピュータであって、前記突起部が圧力を検知する素材を含むことを特徴とする。
第１２の態様に係るパームトップコンピュータは、第１０の態様に係るパームトップコンピュータであって、前記突起部は移動可能であることを特徴とする。
第１３の態様に係るパームトップコンピュータは、文字の入力を受け付けるパームトップコンピュータであって、ケースと、前記ケースに取り付けられ、テクスチャ領域部分を含んでなるデジタイザパッドと、を有することを特徴とする。
第１４の態様に係るパームトップコンピュータは、第１入力モードと第２入力モードとを用いて文字の入力を受け付けるパームトップコンピュータであって、ケースと、前記ケースに取り付けられ、第１入力モードに関連づけられた第１テクスチャー領域と、第２入力モードに関連づけられた第２テクスチャー領域とを具備してなるデジタイザパッドと、を有することを特徴とする。
第１５の態様に係るパームトップコンピュータは、所定の入力モードで文字の入力を受け付けるパームトップコンピュータであって、ペンと、ケースと、前記ケースに取り付けられたデジタイザパッドと、入力モードの選択に関連づけられた物理的センサと、を有することを特徴とする。
第１６の態様に係るパームトップコンピュータは、第１５の態様に係るパームトップコンピュータであって、前記物理的センサは、ペンに取り付けられていることを特徴とする。
第１７の態様に係るパームトップコンピュータは、第１６の態様に係るパームトップコンピュータであって、前記物理的センサは、ペンの書き込む側の先端近傍に配置されていることを特徴とする。
第１８の態様に係るパームトップコンピュータは、第１６の態様に係るパームトップコンピュータであって、前記物理的センサは、ペンの出没可能な先端部であることを特徴とする。
第１９の態様に係るパームトップコンピュータは、第１６の態様に係るパームトップコンピュータであって、前記物理的センサはボタンであることを特徴とする。
第２０の態様に係るパームトップコンピュータは、第１６の態様に係るパームトップコンピュータであって、前記物理的センサは、ダイヤルであることを特徴とする。
第２１の態様に係るパームトップコンピュータは、所定の入力モードを用いて文字の入力を行うパームトップコンピュータであって、ケースと、前記ケースに取り付けられたデジタイザパッドと、入力モードの選択に関連づけられた加速度センサとを備えることを特徴とする。